(57)【要約】【課題】従来の土嚢は、麻袋に土砂を詰め込んだだけの構成となっており、設置作業において倒壊や流動などのおそれがあり、設置作業が容易なものではなかった。そこで、本発明では、土嚢の設置作業における作業性や安全性を向上させることができる土嚢を提供することにした。【解決手段】本発明では、中込材を収容して土嚢（１，２）となる土嚢袋において、中込材を収容する本体部（３，４）の周囲に、他の土嚢（１、２）の本体部（３，４）を載置する萼部（５，６）を形成することにした。また、前記萼部（５，６）は、前記本体部（３，４）の２辺以上に連続して形成することにした。そして、本発明では、先に載置した土嚢（１，２）の萼部（５，６）の上部に次に載置する土嚢（１，２）の本体部（３，４）を載置することにした。【選択図】図１
2015172295.tif 000002
【特許請求の範囲】
【請求項１】
中込材を収容して土嚢となる土嚢袋において、
中込材を収容する本体部の周囲に、他の土嚢の本体部を載置する萼部を形成したことを特徴とする土嚢袋。
【請求項２】
前記萼部は、前記本体部の２辺以上に連続して形成したことを特徴とする請求項１に記載の土嚢袋。
【請求項３】
土嚢袋に中込材を収容した土嚢において、
土嚢袋は、中込材を収容する本体部の周囲に、他の土嚢の本体部を載置する萼部を形成したことを特徴とする土嚢。
【請求項４】
土嚢袋に中込材を収容した土嚢の設置方法において、
土嚢袋の中込材を収容する本体部の周囲に萼部を形成し、萼部の上部に他の土嚢の本体部を載置することを特徴とする土嚢の設置方法。
【発明の詳細な説明】
【技術分野】
【０００１】
本発明は、土嚢袋及び土嚢並びに土嚢の設置方法に関するものである。
【背景技術】
【０００２】
従来より、土木資材として、麻袋の中に土砂を詰め込んだ土嚢が土木現場などで広く利用されている。
【０００３】
この土嚢は、雨水の浸入や土砂崩れなどを防止するために積み上げられて使用されるものであり、緊急時等に一時的に使用されるものであった。
【先行技術文献】
【特許文献】
【０００４】
【特許文献１】特開２００９−２４３０４２号公報
【発明の概要】
【発明が解決しようとする課題】
【０００５】
ところが、従来の土嚢は、麻袋に土砂を詰め込んだだけの構成となっており、設置作業において倒壊や流動などのおそれがあり、設置作業が容易なものではなかった。
【課題を解決するための手段】
【０００６】
そこで、請求項１に係る本発明では、中込材を収容して土嚢となる土嚢袋において、中込材を収容する本体部の周囲に、他の土嚢の本体部を載置する萼部を形成することにした。
【０００７】
また、請求項２に係る本発明では、前記請求項１に係る本発明において、前記萼部は、前記本体部の２辺以上に連続して形成することにした。
【０００８】
また、請求項３に係る本発明では、土嚢袋に中込材を収容した土嚢において、土嚢袋は、中込材を収容する本体部の周囲に、他の土嚢の本体部を載置する萼部を形成することにした。
【０００９】
また、請求項４に係る本発明では、土嚢袋に中込材を収容した土嚢の設置方法において、土嚢袋の中込材を収容する本体部の周囲に萼部を形成し、萼部の上部に他の土嚢の本体部を載置することにした。
【発明の効果】
【００１０】
そして、本発明では、以下に記載する効果を奏する。
【００１１】
すなわち、本発明では、土嚢袋において、中込材を収容する本体部の周囲に、他の土嚢の本体部を載置する萼部を形成しているために、１個の土嚢を載置した後に、その土嚢の萼部に次の土嚢の本体部を載置することで、先に載置した土嚢を次に載置した土嚢の重量で押さえつけることになり、土嚢の設置作業において土嚢の倒壊や流動を防止することができ、土嚢の設置作業の作業性や安全性を向上させることができる。
【００１２】
特に、萼部を本体部の２辺以上に連続させて形成することで、土嚢同士を前後左右に強固に積み上げることができる。
【図面の簡単な説明】
【００１３】
【図１】本発明に係る土嚢を示す平面図。
【発明を実施するための形態】
【００１４】
以下に、本発明に係る土嚢の具体的な構成について図面を参照しながら説明する。
【００１５】
本発明に係る土嚢は、土嚢袋の内部に中込材を充填したものであり、たとえば、上部に開口を有する土嚢袋の内部に中込材を詰め込んで、上部の開口を紐やミシンや溶着等で封止したものである。
【００１６】
本発明に係る土嚢では、土嚢袋が、一部又は全部に通水性を有していてもよい。この土嚢袋は、麻袋等のように織成された土嚢袋で、全部に通水性を有しているものでもよく、また、ビニール袋等のように通水性を有していない素材で形成した袋本体に矩形貫通状の窓を形成し、その窓に網を袋本体の内側から張設（貼着）して、一部に通水性を有するように構成したものでもよい。
【００１７】
また、本発明に係る土嚢では、土嚢袋の内部に詰め込まれる中込材が、土砂でもよく、また、硬化前のセメント等の水硬性を有する粒子を一部又は全部に含んでいてもよい。
【００１８】
土嚢袋の内部に詰め込まれた中込材は、水分と反応して硬化（固化）する水硬性を有する物質の粒子を含有させてもよい。たとえば、中込材として、粉末状のスラグ１００重量部と粉末状のセメント３０重量部との混合物を土嚢袋の内部に詰め込んでいる。なお、土嚢袋の内部には、重金属の流出を防止するために重金属固化材を添加してもよく、スサやセルロースなどの繊維状材料や有機材料を添加してもよく、さらには、使用済みの土嚢で固化した中込材を破砕又は粉砕したものを骨材や増量材として添加してもよい。なお、中込材としては、０．０１μｍ以上０．５ｍｍ以下の粒体であって０．５μｍ以下の微粒子を５重量％以上含まれているものを用いている。また、袋の内部にスラグとセメントを詰め込んだ場合には、１００重量部〜５００重量部の水と反応することで固化し、重量が倍以上に増大する。
【００１９】
以上に説明したように、上記土嚢は、土嚢袋が通水性を有し、中込材が水硬性を有することから、設置後の自然な通水や強制的な通水によって土嚢袋の内部の中込材を硬化（固化）させることができ、長期間にわたって使用しても変形することがなく、恒久的に使用することができる。
【００２０】
特に、上記土嚢では、中込材に吸水性及び導水性を有する繊維状材料を添加することで、中込材に含有された繊維状材料によって、固化する際に水分を内部に良好に導くことができ、袋の内部の中込材を均一に硬化（固化）させることができるとともに、水の分散が適当となるために水和反応の速度や固化反応による内部ストレスの発生を抑制することができてクラックの発生がなく、固化した際の強度を増大させることができる。
【００２１】
また、上記土嚢では、中込材が水分と反応して水和体を生成することで重量が増大することで、使用前（硬化前）においては重量が軽く、使用前の運搬作業や積み上げ作業を容易なものとすることができる。
【００２２】
さらに、上記土嚢では、土嚢袋の通水性を有する部分を通水性を有しない素材で着脱自在に被覆することで、袋の内部に水分が浸入するのを防止することができ、使用前に長期間にわたって備蓄しておくことができる。
【００２３】
本発明に係る土嚢は、図１（ａ）、（ｂ）に示す土嚢1,2のように、中込材を収容した本体部3,4の周囲に萼部5,6を形成した形状の土嚢袋を用いている。図中、7,8は、運搬を容易にするために貫通孔状に形成した手持ち部である。
【００２４】
土嚢1,2は、土嚢袋の本体部3,4の周囲に萼部5,6を形成することで、図１（ｃ）、（ｄ）に示すように、使用時に土嚢1,2の萼部5,6に他の（上に載置する）土嚢1,2の本体部3,4を乗せることで、土嚢同士を強固に積み上げることができる。
【００２５】
、萼部5,6は、平面視四角形状の本体部3,4の２辺以上に連続させて形成してもよい。これにより、土嚢同士を前後左右に強固に積み上げることができる。また、図１（ｄ）に示すように、本体部４を長手状に形成して屈曲可能に形成することで、設置する地形等に柔軟に追従させることができる。
【００２６】
このように、土嚢1,2では、土嚢同士を強固に積み上げることができ、土嚢同士を密着させて止水効果を向上させることができる。
【００２７】
以上に説明したように、本発明に係る土嚢1,2では、土嚢袋において、中込材を収容する本体部の周囲に、他の土嚢の本体部を載置する萼部を形成しているために、１個の土嚢を載置した後に、その土嚢の萼部に次の土嚢の本体部を載置することで、先に載置した土嚢を次に載置した土嚢の重量で押さえつけることになり、土嚢の設置作業において土嚢の倒壊や流動を防止することができ、土嚢の設置作業の作業性や安全性を向上させることができる。
【符号の説明】
【００２８】
1,2  土嚢
3,4  本体部
5,6  萼部
7,8  手持ち部
【図１】
2015172295.tif 000003